(57)【特許請求の範囲】
【請求項１】
一定の形状を保持しうる剛性を備えた付け替え容器を収納するための付け替え容器収納用容器であって、内容物取り出し用の取出し口を備えた容器部と、該容器部の前記取出し口を閉じるように設けられた蓋を備え、前記容器部が、上端に、前記付け替え容器を挿入可能な大きさの開口を備えたベースカップと、該ベースカップの上端に着脱可能で、前記取出し口を備えたキャップを備えており、前記ベースカップとキャップに、前記ベースカップ内に収納された付け替え容器を拘束する拘束手段が設けられており、該拘束手段が、前記ベースカップの底面に形成され、付け替え容器の底部を嵌合させる嵌合リブと、前記キャップに形成され、前記ベースカップ内に収納された付け替え容器の上端を嵌合させる環状リブを備えていることを特徴とする付け替え容器収納用容器。
【請求項２】
前記キャップが、前記ベースカップにねじ係合して取り付け可能なキャップ本体と、該キャップ本体に取り付けられた一体構造のパッキンを備えており、該パッキンが前記キャップ本体を前記ベースカップに取り付けた時に前記ベースカップとキャップ本体の間を密封するベースカップシール部分と、前記蓋を閉じた時に前記蓋とキャップ本体間を密封する蓋シール部分を有していることを特徴とする請求項１記載の付け替え容器収納用容器。
【請求項３】
前記蓋が前記容器部にヒンジ手段を介して揺動自在に連結されると共にばね手段によって開方向に付勢されており、前記蓋と容器部には、前記蓋の先端領域を前記容器部に押し付けるように押すことで前記蓋の先端領域を前記容器部にロックし、ロック状態にある前記蓋の先端領域を再度押すことでロックを解除する構成のプッシュロック・オープン機構が設けられていることを特徴とする請求項１又は２記載の付け替え容器収納用容器。
【請求項４】
前記蓋が前記容器部の上面全域を覆う大きさを有しており、前記プッシュロック・オープン機構が前記蓋の裏面に配置されていることを特徴とする請求項３記載の付け替え容器収納用容器。
【発明の詳細な説明】
【技術分野】
【０００１】
本発明は、内容物を再充填することで繰り返し使用可能な容器に関する。
【背景技術】
【０００２】
従来より、お菓子などの食品容器として、樹脂製の種々な容器が使用されている。多くの場合、樹脂製の容器は、内容物を消費し終わるとそのまま捨てられている。このため、廃棄物が多くなり、環境的に問題となる。また、使い捨てするため、極力低コストで製造できるよう簡単な構造となっており、高気密性等は犠牲にされている。このため、開封後の保存性が悪いといった問題もある。また、容器を使い捨てにしないで、内容物を再充填して再使用する容器も知られているが、従来は、再充填用の内容物を袋に入れて販売しており、購入者は、その袋を開封して内容物を容器に移しかえている。しかし、この方法では、内容物の面倒な移しかえを必要とするばかりでなく、内容物が割れやすいものであった場合には、移しかえた際に割れてしまうことがあるといった問題がある。
【発明の開示】
【発明が解決しようとする課題】
【０００３】
本発明はかかる問題点に鑑みてなされたもので、内容物を傷めることなく簡単に再充填して再使用することの可能な容器を提供することを課題とする。
【課題を解決するための手段】
【０００４】
本発明者らは上記課題を解決すべく検討の結果、内容物を、一定の形状を保持しうる剛性を備えた付け替え容器に入れて流通させ、その付け替え容器を、そのままの形で容器内に収納させる構成とすることで、内容物を傷めることなく簡単に再充填するできることを見出し、本発明を完成した。すなわち、本願請求項１に係る発明は、一定の形状を保持しうる剛性を備えた付け替え容器を収納するための付け替え容器収納用容器であって、内容物取り出し用の取出し口を備えた容器部と、該容器部の前記取出し口を閉じるように設けられた蓋を備え、前記容器部が、上端に、付け替え容器を挿入可能な大きさの開口を備えたベースカップと、該ベースカップの上端に着脱可能で、前記取出し口を備えたキャップを備えており、前記ベースカップとキャップに、前記ベースカップ内に収納された付け替え容器を拘束する拘束手段が設けられており、該拘束手段が、前記ベースカップの底面に形成され、付け替え容器の底部を嵌合させる嵌合リブと、前記キャップに形成され、前記ベースカップ内に収納された付け替え容器の上端を嵌合させる環状リブを備えていることを特徴とする付け替え容器収納用容器を提供する。
【０００５】
請求項２に係る発明は、上記した請求項１に係る付け替え容器収納用容器において、前記キャップが、前記ベースカップにねじ係合して取り付け可能なキャップ本体と、該キャップ本体に取り付けられた一体構造のパッキンを備えており、該パッキンが前記キャップ本体を前記ベースカップに取り付けた時に前記ベースカップとキャップ本体の間を密封するベースカップシール部分と、前記蓋を閉じた時に前記蓋とキャップ本体間を密封する蓋シール部分を有していることを特徴とする。
【０００８】
請求項３に係る発明は、上記した請求項１又は２に係る付け替え容器収納用容器において、前記蓋が前記容器部にヒンジ手段を介して揺動自在に連結されると共にばね手段によって開方向に付勢されており、前記蓋と容器部には、前記蓋の先端領域を前記容器部に押し付けるように押すことで前記蓋の先端領域を前記容器部にロックし、ロック状態にある前記蓋の先端領域を再度押すことでロックを解除する構成のプッシュロック・オープン機構が設けられていることを特徴とする。
【０００９】
請求項４に係る発明は、上記した請求項３に係る付け替え容器収納用容器において、前記蓋が前記容器部の上面全域を覆う大きさを有しており、前記プッシュロック・オープン機構が前記蓋の裏面に配置されていることを特徴とする。
【発明の効果】
【００１０】
本発明の付け替え容器収納用容器は、内部に収納した付け替え容器の底部と上端を、ベースカップの底面に形成した嵌合リブとキャップに形成した環状リブを備えた拘束手段によって拘束できるので、付け替え容器が内部でがたつくことはなく、持ち運んでも支障はない。内容物の取り出しは、蓋を開いて取出し口を開け、その取出し口から行うことができる。また、内容物が無くなった時には、キャップを外してベースカップの上端を開口し、その開口から付け替え容器を取り替え、キャップを閉じるという操作を行えばよく、きわめて簡単な操作で且つ内容物を傷めることなく、内容物の再充填を行うことができる。このように、本発明の付け替え容器収納用容器は、内容物を再充填して繰り返し再使用することができ、経済的であると共に廃棄物を減らせるので環境上も好ましい。また、再使用できるので、多少のコストアップは許容でき、高気密性を付与するとか強度を大きくするといった高性能化も可能である。
【００１１】
請求項２に係る発明は、パッキンを設けてキャップ本体とベースカップの間及びキャップ本体と蓋の間を密封する構成としているので、高気密性を確保でき、内容物の保存状態がよい容器を提供できる。また、単一構造のパッキンで、２箇所の気密を図ることができるので、部品点数を削減して低コスト化を図ることができる。
【００１４】
請求項３に係る発明は、蓋をヒンジ手段によって容器部に連結し、揺動させて開閉する構成とすると共に蓋の容器部に対するロックのためにプッシュロック・オープン機構を設けるという構成としたので、蓋を、容器部に押し付けるように押すことでロックでき、またロック状態にある蓋を再度押すことでロックを解除でき、指１本で簡単に且つ安定して蓋を開閉でき、操作がきわめて容易である。
【００１５】
請求項４に係る発明は、蓋を容器部の上面全域を覆う大きさとし、その蓋の裏面側にプッシュロック・オープン機構を配置しているので、蓋を閉じた状態では、蓋が容器部上面全体を覆ったような形状となり、きわめてすっきりとしたシンプルな外観を与えることができる。
【発明を実施するための最良の形態】
【００１６】
以下、本発明の好適な実施の形態を説明する。図１（ａ）は、本発明の好適な実施の形態に係る付け替え容器収納用容器（以下単に容器という）の概略側面図、（ｂ）はその容器を、蓋を開いた状態で示す概略側面図、図２（ａ）はその容器の概略断面図、（ｂ）はその容器を図２（ａ）のＡ−Ａ方向に見た概略断面図、図３（ａ）はその容器の概略平面図、（ｂ）はその容器を、蓋を除去して示す概略平面図、図４はその容器の一部を分解して示す概略断面図、図５はその容器を分解して示す概略断面図、図６、図７、図８はそれぞれ容器を構成するキャップ本体、パッキン、蓋を示すものである。全体を参照符号１で示す容器は、容器部２と、その容器部２にヒンジ手段５を介して揺動可能に連結された蓋３を備えており、内部に付け替え容器４を収納している。付け替え容器４は、内部に食品、薬品、化粧品などの内容物を収容して販売されるもので、一定の形状を保持しうる剛性を備えている。ここでは、付け替え容器４として、同部４ａとフランジ部４ｂを備えた紙或いはプラスチック製のカップ状のものが用いられている。
【００１７】
容器部２は、上端に、付け替え容器４を挿入可能な大きさの開口７を備えたベースカップ６と、そのベースカップ６の上端に着脱可能で、内容物取り出し用の取出し口１０を有するキャップ９を備えており、そのキャップ９は、キャップ本体１２と、パッキン１３を備えている。ベースカップ６は、ＰＰ、ＡＢＳなどの樹脂によってカップ状に作られたものであり、上端外周面にキャップ取付用のねじ６ａを備え、底面には、付け替え容器４の底部を嵌合させる嵌合リブ６ｂを有している。この嵌合リブ６ｂは、ベースカップ６内に収納された付け替え容器４を拘束する拘束手段を構成している。
【００１８】
キャップ本体１２はＰＰ、ＡＢＳなどの樹脂によって作られたもので、筒状部１２ａと、その筒状部１２ａの内周面に形成され、ベースカップ６の外周面のねじ６ａにかみ合う内ねじ１２ｂと、筒状部１２ａの上端領域に内側に突出するように形成された内フランジ１２ｃと、キャップ本体１２の上面で、外周近傍に形成されたヒンジ部１２ｄと、ヒンジ部１２ｄとは直径方向の反対側に形成された保持筒２５等を備えている。ヒンジ部１２ｄは、蓋３を揺動可能に連結するためのヒンジ手段を構成するもので、コイルばねを収容するための空間を備えた筒部１２ｄａと、その筒部１２ｄａの両側に突出するように形成されたピン１２ｄｂを有している。
【００１９】
パッキン１３は、形状保持性は有するが良好な密封性を発揮しうるよう適度な軟らかさを持った材料、例えば、シリコンゴム、エラストマーなどによって形成されたもので、取出し口１０を形成する筒状部１３ａと、その下端近傍の外周に形成された下フランジ１３ｂと、下フランジ１３ｂとの間にキャップ本体１２の内フランジ１２ｃをはさんで固定できるように形成された上フランジ１３ｃと、下フランジ１３ｂの下面に形成された環状リブ１３ｄと、筒状部先端に形成されたリング状シール部１３ｅ等を備えている。ここで、下フランジ１３ｂは、パッキン１３を図２に示すようにキャップ本体１２に取り付けた状態で、そのキャップ本体１２をベースカップ６に取り付けた際に下フランジ１３ｂがベースカップ６の上端とキャップ本体１２の内フランジ１２ｃの間に位置して両者の間をシールすることができるサイズに作られており、ベースカップ６とキャップ本体１２の間を密封するベースカップシール部分を構成する。また、筒状部１３ａ及びその先端に形成されているリング状シール部１３ｅは、蓋３を閉じた時にその蓋３の裏面のシール用リブ３ａがリング状シール部１３ｅに突き当たって両者の間をシールするサイズに作られており、蓋３とキャップ本体１２の間を密封する蓋シール部分を構成する。このように、パッキン１３によってキャップ本体１２とベースカップ６の間、及びキャップ本体１２と蓋３の間をシールする構成としたことで高気密性が得られる。また、単一構造のパッキン１３を用いて２箇所のシールを行う構成としたことで、部品点数を削減し、コストダウンが図れる。
【００２０】
パッキン１３に形成されている環状リブ１３ｄは、ベースカップ６内に収納された付け替え容器４の上端を嵌合させて動かないように拘束しうるサイズに作られており、ベースカップ６内に収納された付け替え容器４を拘束する拘束手段を構成する。更に、筒状部１３ａの下端は、ベースカップ６内に収納された付け替え容器４のフランジ上面にほぼ接するサイズに作られており、付け替え容器４を拘束する作用及び付け替え容器４との間をシールする作用も果たしている。
【００２１】
蓋３は、ＰＰ、ＡＢＳなどの樹脂によって作られたもので、容器部２の上面全域を覆うように、容器部２の上端にあるキャップ９の外径とほぼ同一の外径に作られている。この構造を採用したことで、蓋３を閉じた状態では蓋３が容器部２の上面全域を覆い、容器１にすっきりとしたシンプルな外観を与えている。蓋３は、裏面に環状のシール用リブ３ａを有している。また、蓋３は外周の一部にヒンジ用リブ３ｂを備え、そのヒンジ用リブ３ｂには、キャップ本体１２のヒンジ部１２ｄのピン１２ｄｂを挿入させるピン穴が形成されている。かくして、このピン穴にピン１２ｄｂを挿入することで、蓋３はキャップ本体１２に対して揺動自在に連結されることとなる。また、キャップ本体１２のヒンジ部１２ｄには、図９に示すように、コイルばね１５が取り付けられ、その一端はキャップ本体１２に、他端は蓋３に押し付けられている。この構成により、蓋３はキャップ本体１２に対して常に開方向に付勢されている。
【００２２】
図２（ａ）において、蓋３と容器部２のキャップ本体１２には、蓋３をキャップ９に揺動可能に連結するヒンジ手段５とは反対側で且つ蓋３の裏面側に、蓋３の先端領域を容器部２に押し付けるように押すことで蓋３の先端領域を容器部２にロックし、ロック状態にある蓋３の先端領域を再度押すことでロックを解除する構成のプッシュロック・オープン機構２１が設けられている。このプッシュロック・オープン機構２１は、容器部２のキャップ本体１２に設けられた容器側ロック治具２２と、蓋３に設けられ、蓋３を閉じた時に容器側ロック治具２２に係止されて蓋３をロックする蓋側ロック治具２３を備えている。
【００２３】
図１０（ａ）はそのプッシュロック・オープン機構２１の容器側ロック治具２２及び蓋側ロック治具２３の概略側面図及び概略断面図、図１０（ｂ）は蓋側ロック治具の下面図、図１０（ｃ）は容器側ロック治具の上面図、図１１はプッシュロック・オープン機構２１の分解斜視図、図１２、図１３はプッシュロック・オープン機構２１によるロック動作及びロック解除動作を説明するために容器側ロック治具の内周面を平面に展開して示す概略内面図である。容器側ロック治具２２は、キャップ本体１２と一体に形成された保持筒２５と、その保持筒２５に保持された下ラチェット部材２７及び上ラチェット部材２９を備えている。保持筒２５は上端から軸線方向に延びる複数の溝２６を有している。
【００２４】
下ラチェット部材２７は、通常、樹脂で作られており、保持筒２５内に嵌合する円板部２７ａと、その上面に、円板部２７ａよりも小径に形成された筒部２７ｂと、筒部２７ｂの上端面に、蓋側ロック治具２３の進入方向に向かい合うように形成された円環状ラチェット歯２７ｃと、円板部２７ａの外周領域に形成された位置決め用突起２７ｄ等を備えている。
【００２５】
上ラチェット部材２９も樹脂で作られており、保持筒２５内に嵌合可能で且つ下ラチェット部材２７の筒部２７ｂを挿入可能な筒部２９ａと、その内面に円周方向に一定の間隔をあけて、通路３１を形成するように設けられた３個の部分筒部２９ｂと、各部分筒部２９ｂの下面に、下ラチェット部材２７の円環状ラチェット歯２７ｃに向かい合うように且つ位相をずらせて形成された部分円環状ラチェット歯２９ｃと、この部分円環状ラチェット歯２９ｃの背面側にすなわち部分筒部２９ｂの上面に、円周方向に対して傾斜するように設けられた傾斜ガイド面２９ｄと、筒部２９ａの下端に、下ラチェット部材２７の突起２７ｄに嵌合するように設けられた位置決め溝３２と、筒部２９ａの外面に、保持筒２５の溝２６に嵌合するように形成された凸部２９ｅ等を備えている。この構成により、上ラチェット部材２９の下端の位置決め溝３２に下ラチェット部材２７の突起２７ｄを嵌合させ、その上ラチェット部材２９と下ラチェット部材２７を保持筒２５内に装着し、溝２６内に上ラチェット部材２９の凸部２９ｅを嵌合させることにより、上ラチェット部材２９及び下ラチェット部材２７は保持筒２５に対して回転しないように保持され、且つ上ラチェット部材２９と下ラチェット部材２７とは上下方向及び回転方向に所定の位置に位置決めされることとなる。なお、向かい合って配置される円環状ラチェット歯２７ｃと部分円環状ラチェット歯２９ｃの位置関係の詳細は後述する。
【００２６】
蓋側ロック機構２３は、蓋３に形成された支持軸３４とその支持軸３４に回転自在に保持されたラチェット駒３６を備えている。支持軸３４は蓋３の裏面に、蓋３を閉じる時に容器側に設けている容器側ロック治具２２に同心状に、すなわち保持筒２５及びその中に保持された上ラチェット部材２９、下ラチェット部材２７に対して同心状に下降して保持筒２５内に進入することができるように形成されている。また、その支持軸３４の下端領域には、ラチェット駒３６を回転自在に支持するための軸受部３４ａと、ラチェット駒３６の装着を容易にするための切れ目３７と、ラチェット駒３６を保持するためのコーン部３４ｂが形成されている。ラチェット駒３６も樹脂で作られており、筒部３６ａと、その外周面に円周方向に一定間隔をあけて、軸線方向に平行に形成された３個のラチェット爪３６ｂを備えている。このラチェット爪３６ｂは、ラチェット駒３６を上ラチェット部材２９及び下ラチェット部材２７に対して同心状に上下動させた時に、上ラチェット部材２９の傾斜ガイド面２９ｄ、部分円環状ラチェット歯２９ｃ及び円環状ラチェット歯２７ｃに接触させることができるよう、これらと同一半径位置に形成されている。また、図１２、図１３から良く分かるように、そのラチェット爪３６ｂの幅は、上ラチェット部材２９に形成されている通路３１を通り抜けることができるように定められており、且つ、ラチェット爪３６ｂの長さは、部分円環状ラチェット歯２９ｃと円環状ラチェット歯２７ｃの間で上下動できるように定められている。
【００２７】
次に、上下に配置されている円環状ラチェット歯２７ｃと部分円環状ラチェット歯２９ｃを更に詳細に説明する。前記したように、円環状ラチェット歯２７ｃと部分円環状ラチェット歯２９ｃは互いに向かい合うように且つ位相をずらせて設けられている。下側の円環状ラチェット歯２７ｃと上側の部分円環状ラチェット歯２９ｃは、傾斜方向が互いに反対方向となっている。更に、下側の円環状ラチェット歯２７ｃは、図１２（ａ）に示すように、部分環状ラチェット歯２９ｃの間に形成されている通路３１を通り抜けて下降してきたラチェット爪３６ｂが、円環状ラチェット歯２７ｃの一つの傾斜面の上端領域に突き当たり、その傾斜面によって円周方向に案内されるように配置されており、上側の部分円環状ラチェット歯２９ｃは、図１２（ｂ）に示すように、下側のラチェット歯２７ｃによって回転方向の移動を阻止されているラチェット爪３６ｂがその位置で上昇した時に、下向きのラチェット歯２９ｃの一つの傾斜面の下端領域に突き当たり、その傾斜面によって円周方向に案内されるように配置されている。更に、各部分円環状ラチェット歯２９ｃは、傾斜面で円周方向に案内したラチェット爪３６ｂを１回拘束することができるよう、２山の歯を備えている。
【００２８】
以上の構成になるプッシュロック・オープン機構２１によるロック及びロック解除動作は次のように行われる。蓋３を閉じる際には単に蓋３を押せばよい。この動作により、図１０に示す蓋側ロック治具２３が容器側ロック治具２２に向かって移動し、ラチェット駒３６が上ラチェット部材２９内に同心状に入って行く。そして、図１２（ａ）に示すように、ラチェット駒３６のラチェット爪３６ｂが下降して傾斜ガイド面２９ｄに突き当たると、その傾斜ガイド面２９ｄで案内され、ラチェット駒３６が回転しながら下降し、ラチェット爪３６ｂが通路３１に達すると、その通路３１を通って下降する。そして、通路３１の下に位置するラチェット歯２７ｃに突き当たり、そのラチェット歯２７ｃで案内されて、ラチェット駒３６が回転し、図１２（ｂ）に示す位置で停止する。その後、蓋３から手を放すと、蓋３がコイルばね１５（図９参照）のばね力によって開こうとし、ラチェット爪３６ｂが上昇して、上側のラチェット歯２９ｃに突き当たり、そのラチェット歯２９ｃの傾斜面で案内されることで、ラチェット駒３６が回転し、図１２（ｃ）に示す位置で停止する。これにより、ラチェット爪３６ｂがラチェット歯２９ｃで拘束され、プッシュロック・オープン機構２１がロック状態となる。すなわち、蓋３が容器部２に対して閉じた状態に保持される。
【００２９】
次に、閉じた状態の蓋３を開くには、単に蓋３を押せばよい。この動作により、図１３（ａ）に示すように、ラチェット爪３６ｂが下降し、その下に位置するラチェット歯２７ｃに突き当たり、そのラチェット歯２７ｃで案内されて、ラチェット駒３６が回転し、図１３（ｂ）に示す位置で停止する。その後、蓋３から手を放すと、蓋３はコイルばね１５（図９参照）のばね力によって開こうとし、ラチェット爪３６ｂが上昇して、上側のラチェット歯２９ｃに突き当たり、そのラチェット歯２９ｃの傾斜面で案内されることで、ラチェット駒３６が回転し、図１３（ｃ）に示すように、ラチェット爪３６ｂが通路３１に入り、上昇可能となる。かくしてロックが解除され、蓋３がばね力によって図１（ｂ）に示すような全開位置に開く。このように、単に蓋３を押すことで蓋３を閉位置にロックし、再度蓋３を押すことでロックを解除して開くことができ、きわめた簡単に蓋３の開閉を行うことができる。なお、図１２、図１３では、ラチェット爪３６ｂを１個図示しているのみであるが、実際にはラチェット駒の外周面に設けている３個のラチェット爪３６ｂが同時に上記した動作を行っており、ラチェット駒３６は安定して回転したり、拘束されたりする。かくして、ロック動作及びロック解除動作をきわめて安定して行うことができる。
【００３０】
上記構成の容器１は、蓋３を閉じた状態では、図３（ａ）に示すように蓋３が全体を覆った形状となり、きわめてすっきりとしたシンプルな外観を与えることができる。容器１内には、食品、薬品などの内容物を収容した付け替え容器４が収納されているが、その付け替え容器４は、ベースカップ６の環状リブ６ｂやパッキン１３の環状リブ１３ｄ等によって拘束されているため、容器１内でがたつくことはない。また、パッキン１３によってベースカップ６とキャップ本体１２の間及びキャップ本体１２と蓋３の間を密封しているので、気密性に優れており、内容物の保存状態がよい。
【００３１】
内容物の取り出しに当たっては、単に蓋３の先端部分を押すことで、プッシュロック・オープン機構２１を解除し、蓋３を、図１（ｂ）に示すように大きく開くことができ、キャップ９に形成している取出し口１０（図２参照）から内容物を取り出すことができる。内容物を取り出した後は、単に蓋３の先端を押すことでプッシュロック・オープン機構２１をロックし、蓋３を閉じることができる。このように、この容器１では、蓋３を単に指１本で押すことで、簡単に閉じたり、開いたりすることができ、きわめて取り扱い易いという利点を有している。
【００３２】
内部に収納している付け替え容器４内の内容物を消費した後は、図４に示すように、キャップ９をベースカップ６から取り外す。これにより、ベースカップ６の上端が大きく開くので、空になった付け替え容器４を取り出し、内容物を収容している新たな付け替え容器４を、その蓋を開封してベースカップ６内にセットし、キャップ９をベースカップ６上端に取り付ける。このようにして、容器１内に新たな内容物を補充することができる。このように、容器１は、付け替え容器４を入れ替えることで、繰り返し再使用することができ、経済的であると共に廃棄物が減るので環境上も好ましいものである。
【００３３】
なお、上記実施の形態では、プッシュロック・オープン機構２１として、図１０〜図１３に示す構造のものを用いているが、プッシュロック・オープン機構はこれに限らず、変更可能である。以下、プッシュロック・オープン機構の変形例をいくつか説明する。図１４（ａ）は、プッシュロック・オープン機構の変形例を備えた容器１の、プッシュロック・オープン機構２１Ａを設けた領域を示す概略断面図、（ｂ）は図１４（ａ）のＤ−Ｄ矢視図、図１５（ａ）はそのプッシュロック・オープン機構に用いる回転駒の概略側面図、（ｂ）は図１５（ａ）のＥ−Ｅ矢視図、図１６（ａ）〜（ｇ）はそのプッシュロック・オープン機構の動作を説明する、図１４（ａ）のＤ−Ｄ矢視図である。この実施の形態におけるプッシュロック・オープン機構２１Ａも、容器部２のキャップ本体１２に設けられた容器側ロック治具２２Ａと、蓋３に設けられ、蓋３を閉じた時に容器側ロック治具２２Ａに係止されて蓋３をロックする蓋側ロック治具２３Ａを備えている。容器側ロック治具２２Ａは、キャップ本体１２に設けられた支持板部４１と、その支持板部４１に回転可能に保持された回転駒４２を備えており、その回転駒４２は回転軸部４２ａとそれに直角な平板部４２ｂを備えている。この平板部４２ｂは、その両端に回転中心Ｏから等距離となる位置に略Ｖ字状の溝４２ｃを備えている。一方、蓋側ロック治具２３Ａは、図１４（ｂ）に示すように、蓋３に連結された門型部分４４を備えており、その門型部分４４は下端側を開放すると共に、下端の片側に回転駒４２の溝４２ｃに引っかけることの可能なロック辺４４ａを備えている。また、門型部分４４の上辺の下面側には突起４４ｂが形成されている。この門型部分４４の各部の形状、サイズは図１６に示すロック動作及びロック解除動作を行うことができるように定められている。
【００３４】
次に、上記構成のプッシュロック・オープン機構２１Ａによるロック動作及びロック解除動作を説明する。蓋３を閉じるために蓋３を押し下げた時には、図１６（ａ）に示すように、回転駒４２は、平板部４２ｂが垂直となって一方の溝４２ｃが上向きとなる位置に停止しており、この状態で門型部分４４が下降してくる。門型部分４４の下端のロック辺４４ａは、垂直状態の平板部４２ｂの通過を許容するサイズに作られているため、図１６（ｂ）に示すように、平板部４２ｂが下降中の門型部分４４の内側に入り、突起４４ｂが平板部４２ｂの溝４２ｃの片側に接触してこれを押し下げることで平板部４２ｂを回転させる。そして、門型部分４４が図１６（ｃ）に示す位置まで下降した時点で、平板部４２ｂがそれ以上回転できなくなり、門型部分４４もそれ以上に押し下げることができなくなる。この位置に達すると、蓋３を押し下げていた指を放す。蓋３はコイルばねのばね力によって開く方向に揺動し、それにつれて門型部分４４が上昇し、図１６（ｄ）に示すように、ロック辺４４ａの先端が平板部４２ｂの下側の溝４２ｃに引っかかる。平板部４２ｂの回転中心Ｏは、一定位置に拘束されているため、ロック辺４４ａの先端が平板部４２ｂの下側の溝４２ｃに引っかかった状態では、ロック辺４４ａを上に引き上げようとしても平板部４２ｂはそれ以上回転できず、従って、門型部分４４は図１６（ｄ）に示す位置に拘束される。かくして、プッシュロック・オープン機構２１Ａがロック状態となり、蓋３は閉じた状態に保持される。
【００３５】
次に、ロックを解除するには、再び蓋３を押し下げる。これにより、図１６（ｅ）に示すように、門型部分４４が下降して、ロック辺４４ａが平板部４２ｂの溝４２ｃから離れ、突起４４ｂが平板部４２ｂの側面に接触して、これを回転させる。その後、蓋３から手を放すと、門型部分４４が上昇し、図１６（ｆ）に示すようにロック辺４４ａが平板部４２ｂの側面に接触してこれを回転させ、図１６（ｇ）に示すように、門型部分４４は平板部４２ｂを垂直状態まで回転させ、ロック辺４４ａが平板部４２ｂの横を通り抜けて上昇する。かくして、ロックが解除される。このように、このプッシュロック・オープン機構２１Ａにおいても、蓋３を単に押し下げることでロックすることができ、再度蓋３を押し下げることでロックを解除できる。
【００３６】
図１７（ａ）は、プッシュロック・オープン機構の他の変形例を備えた容器１の、プッシュロック・オープン機構２１Ｂを設けた領域を示す概略断面図、（ｂ）はプッシュロック・オープン機構２１Ｂの概略断面図、図１８（ａ）はそのプッシュロック・オープン機構に用いる溝カム板の概略正面図、（ｂ）、（ｃ）、（ｄ）はそれぞれ、図１８（ａ）のＦ−Ｆ矢視概略断面図、Ｇ−Ｇ矢視概略断面図、Ｈ−Ｈ矢視概略断面図、図１９（ａ）、（ｂ）はそれぞれ、プッシュロック・オープン機構２１Ｂに用いるカム部材の概略正面図及び概略側面図、図２０（ａ）〜（ｄ）はそのプッシュロック・オープン機構のロック動作を説明する概略正面図、図２１（ａ）〜（ｄ）はそのプッシュロック・オープン機構のロック解除動作を説明する概略正面図である。この実施の形態におけるプッシュロック・オープン機構２１Ｂも、容器部２のキャップ本体１２に設けられた容器側ロック治具２２Ｂと、蓋３に設けられ、蓋３を閉じた時に容器側ロック治具２２Ｂに係止されて蓋３をロックする蓋側ロック治具２３Ｂを備えている。
【００３７】
容器側ロック治具２２Ｂは、キャップ本体１２に直立するように設けられたカム部材５１を備えている。このカム部材５１は、その根元の部分にヒンジ部５１ａを形成し、そのヒンジ部５１ａを中心として揺動可能であると共に先端に、揺動面に直角方向に延びるピン５１ｂを備えている。一方、蓋側ロック治具２３Ｂは、蓋３に連結された溝カム板５３を備えている。溝カム板５３の正面にはピン５１ｂを案内するためのガイド部５３ａ、第一カム溝５３ｂ、第二カム溝５３ｃ、第三カム溝５３ｄが形成されている。前記したカム部材５１は、ピン５１ｂが溝カム板５３に向かい合い且つピン５１ｂの先端がカム溝底面やガイド部底面に押し付けられるように配置されている。ここで、図１８において、溝カム板５３に形成しているガイド部５３ａは、下端から上に行くに従い幅が狭くなると共に深さが徐々に浅くなっており、ピン５１ｂを第一カム溝５３ｂに案内するように形成されている。第一カム溝５３ｂは、それに接する位置のガイド部５３ａよりも深く形成されており、ガイド部５３ａから第一カム溝３５ｂに入ったピン５１ｂが元のガイド部５３ａに戻らないようにしている。また、その第一カム溝５３ｂは、ガイド部５３ａからのピンを受け取る位置から図１８（ａ）において斜め下方に溝カム板５３の幅方向のほぼ中央にまで延び、その位置にある第二カム溝５３ｃにピン５１ｂを案内するように形成されている。第二カム溝５３ｃは、第一カム溝５３ｂよりも深く形成されており、第一カム溝５３ｂから第二カム溝５３ｃに入ったピン５１ｂが元の第一カム溝５３ｂに戻らないようにしている。また、その第二カム溝５３ｃは、第一カム溝５３ｂからのピンを受け取る位置から斜め上方に延び、その位置にある第三カム溝５３ｄにピン５１ｂを案内するように形成されている。第三カム溝５３ｄは、第二カム溝５３ｃに接する位置では第二カム溝５３ｃよりも深く形成されており、第二カム溝５３ｃから第三カム溝５３ｄに入ったピン５１ｂが元の第二カム溝５３ｃに戻らないようにしている。また、その第三カム溝５３ｄは、第二カム溝５３ｃからのピンを受け取る位置から斜め下方に延び、次いでピン５１ｂをガイド部５３ａに導くように形成されている。第三カム溝５３ｄのガイド部５３ａに接する部分の深さはガイド部５３ａよりも浅くなっており、ガイド部５３ａで案内されているピンが第三カム溝５３ｄに入らないようにしている。
【００３８】
次に、上記構成のプッシュロック・オープン機構２１Ａによるロック動作及びロック解除動作を説明する。蓋３を閉じるために蓋３を押し下げた時には、図２０（ａ）、（ｂ）に示すように、溝カム板５３が下降する。これにより、下方で待機しているカム部材５１のピン５１ｂがガイド部５３ａで案内され、図２０（ｃ）に示すように第一カム溝５３ｂに入る。ピン５１ｂが第一カム溝５３ｂに入ると、溝カム板５３はそれ以上に押し下げることができなくなる。そこで、蓋３を押していた指を放す。すると、蓋３はコイルばねのばね力によって開く方向に揺動しようとし、溝カム板５３が上昇する。この上昇に伴って、ピン５１ｂは第一カム溝５３ｂで案内され、図２０（ｄ）に示すように、第二カム溝５３ｃの最下端位置に入る。この状態となると、溝カム板５３はピン５１ｂで上昇を拘束された状態となる。かくして、プッシュロック・オープン機構２１Ｂがロック状態となり、蓋３は閉じた状態に保持される。
【００３９】
次に、ロックを解除するには、再び蓋３を押し下げる。これにより、図２１（ａ）に示すように、溝カム板５３が下降し、第二カム溝５３ｃ内にあったピン５１ｂは第二カム溝５３ｃで案内されて、図２１（ｂ）に示すように、第三カム溝５３ｄの最上端位置に入る。その後、蓋３から手を放すと、蓋３は開方向に移動し、それにつれて溝カム板５３も上昇し、図２１（ｃ）、（ｄ）に示すように、ピン５１ｂは第三カム溝５３ｄを通って溝カム板５３の外に出る。かくして、ロックが解除される。このように、このプッシュロック・オープン機構２１Ｂにおいても、蓋３を単に押し下げることでロックすることができ、再度蓋３を押し下げることでロックを解除できる。
【００４０】
以上に、本発明の好適な実施の形態を説明したが、本発明はこの実施の形態に限定されるものでなく、特許請求の範囲の記載範囲内で適宜変更可能である。
【産業上の利用可能性】
【００４１】
本発明の付け替え容器収納用容器は、任意の内容物を収容した付け替え容器の収納に利用可能であり、特に、実施の形態で示した容器は高気密性を有することから、気密性を求められる製品、例えば、糖衣ガム、粒チョコなどの菓子、ココア、コーヒー、クリープ、昆布茶、調味料・香辛料、ふりかけなどの食品、メイク落としシート、ひんやりシート、ハンドクリームなどのファインケア製品、サプリメント、特定保険用食品、錠剤などの医薬品などを収納した付け替え容器の収納に好適である。
【図面の簡単な説明】
【００４２】
【図１】（ａ）は本発明の実施の形態に係る容器の概略側面図、（ｂ）はその容器を、蓋を開いた状態で示す概略側面図
【図２】（ａ）は図１に示す容器の概略断面図、（ｂ）はその容器を図２（ａ）のＡ−Ａ方向に見た概略断面図
【図３】（ａ）は図１に示す容器の概略平面図、（ｂ）はその容器を、蓋を除去して示す概略平面図
【図４】図１に示す容器の一部を分解して示す概略断面図
【図５】図１に示す容器を分解して示す概略断面図
【図６】（ａ）はキャップ本体の概略平面図、（ｂ）はキャップ本体の概略側面図、（ｃ）はキャップ本体をヒンジ部側から見た概略側面図、（ｄ）は（ａ）のＢ−Ｂ矢視概略断面図
【図７】（ａ）はパッキンの概略平面図、（ｂ）はパッキンの概略側面図、（ｃ）は（ａ）のＣ−Ｃ矢視概略断面図
【図８】（ａ）は蓋の概略底面図、（ｂ）は蓋の概略側面図
【図９】蓋をキャップ本体に連結しているヒンジ部分を示す概略断面図
【図１０】（ａ）はプッシュロック・オープン機構を構成する容器側ロック治具の概略断面図及び蓋側ロック治具の概略側面図、（ｂ）は蓋側ロック治具の概略下面図、（ｃ）は容器側ロック治具の概略上面図
【図１１】プッシュロック・オープン機構の概略分解斜視図
【図１２】（ａ）、（ｂ）、（ｃ）はプッシュロック・オープン機構によるロック動作を説明する、容器側ロック治具の内面展開図
【図１３】（ａ）、（ｂ）、（ｃ）はプッシュロック・オープン機構によるロック解除動作を説明する、容器側ロック治具の内面展開図
【図１４】（ａ）は、プッシュロック・オープン機構の変形例を備えた容器の、プッシュロック・オープン機構を設けた領域を示す概略断面図、（ｂ）は（ａ）のＤ−Ｄ矢視図
【図１５】（ａ）は図１４に示すプッシュロック・オープン機構に用いる回転駒の概略側面図、（ｂ）は（ａ）のＥ−Ｅ矢視図
【図１６】（ａ）〜（ｇ）は図１４に示すプッシュロック・オープン機構の動作を説明する、図１４（ａ）のＤ−Ｄ矢視図
【図１７】（ａ）は、プッシュロック・オープン機構の他の変形例を備えた容器の、プッシュロック・オープン機構を設けた領域を示す概略断面図、（ｂ）はプッシュロック・オープン機構の概略断面図
【図１８】（ａ）は図１７に示すプッシュロック・オープン機構に用いる溝カム板の概略正面図、（ｂ）、（ｃ）、（ｄ）はそれぞれ、（ａ）のＦ−Ｆ矢視概略断面図、Ｇ−Ｇ矢視概略断面図、Ｈ−Ｈ矢視概略断面図
【図１９】（ａ）、（ｂ）はそれぞれ、図１７に示すプッシュロック・オープン機構に用いるカム部材の概略正面図及び概略側面図
【図２０】（ａ）〜（ｄ）は図１７に示すプッシュロック・オープン機構のロック動作を説明する概略正面図
【図２１】（ａ）〜（ｄ）は図１７に示すプッシュロック・オープン機構のロック解除動作を説明する概略正面図
【符号の説明】
【００４３】
１  付け替え容器収納用容器
２  容器部
３  蓋
４  付け替え容器
５  ヒンジ手段
６  ベースカップ
６ｂ  環状リブ
７  開口
９  キャップ
１０  取出し口
１２  キャップ本体
１２ｄ  ヒンジ部
１３  パッキン
１３ｄ  環状リブ
１５  コイルばね
２１  プッシュロック・オープン機構
２２  容器側ロック治具
２３  蓋側ロック治具
２５  保持筒
２６  溝
２７  下ラチェット部材
２７ｃ  円環状ラチェット歯
２９  上ラチェット部材
２９ｂ  部分筒部
２９ｃ  部分円環状ラチェット歯
２９ｄ  傾斜ガイド面
３１  通路
３４  支持軸
３６  ラチェット駒
３６ｂ  ラチェット爪
【図１】
0004844195.tif 000002
【図２】
0004844195.tif 000003
【図３】
0004844195.tif 000004
【図４】
0004844195.tif 000005
【図５】
0004844195.tif 000006
【図６】
0004844195.tif 000007
【図７】
0004844195.tif 000008
【図８】
0004844195.tif 000009
【図９】
0004844195.tif 000010
【図１０】
0004844195.tif 000011
【図１１】
0004844195.tif 000012
【図１２】
0004844195.tif 000013
【図１３】
0004844195.tif 000014
【図１４】
0004844195.tif 000015
【図１５】
0004844195.tif 000016
【図１６】
0004844195.tif 000017
【図１７】
0004844195.tif 000018
【図１８】
0004844195.tif 000019
【図１９】
0004844195.tif 000020
【図２０】
0004844195.tif 000021
【図２１】
0004844195.tif 000022